(57)【特許請求の範囲】
【請求項１】
回転ケース付きテープ切断機であって、
後方に、ロール状に巻き付けられたテープ（１）が載置されるテープ取付溝（１０１）が形成されており、前方に繰出孔（１０２）付き切断装置（１０３）が配設されているケース（１００）と、
前記ケース（１００）の内部に配設されてテープ取付溝（１０１）に載置されたテープ（１）の一方の端部を、前方側の前記切断装置（１０３）に搬送する搬送装置（２００）と、
を備え、
前記ケース（１００）は、
内側に前記搬送装置（２００）の下部を収容し、上部に開口部（１１１）が形成されている下部ケース（１１０）と、
後端部が前記下部ケース（１１０）の上部に蝶着されて後端部を基準として上下に回動して前記開口部（１１１）を開閉する回転ケース（１２０）と、
を備え、
前記搬送装置（２００）は、
前記下部ケース（１１０）の内部の両側に配設されているベースフレーム（２１０）と、
両側が前記ベースフレーム（２１０）に連結された状態で、テープ取付溝（１０１）に据置されたテープ（１）の先端を前方側に案内するガイド装置（２２０）と、
両側が前記ベースフレーム（２１０）に連結されており、前記ガイド装置（２２０）を通過したテープ（１）の底面を支持するように配設されている第１ローラー（２３０）と、
両側が前記ベースフレーム（２１０）に連結されており、前記第１ローラー（２３０）と噛合するように配設されていて、前記ガイド装置（２２０）を通過したテープ（１）の上面を支持してテープ（１）が前記第１ローラー（２３０）との間を移動するようになっている第２ローラー（２４０）と、
両側が前記ベースフレーム（２１０）に連結されており、前記第１ローラー（２３０）と第２ローラー（２４０）との間を通過したテープ（１）の底面を支持するように配設されている第３ローラー（２５０）と、
両側が前記ベースフレーム（２１０）に連結されており、前記第３ローラー（２５０）と噛合するように配設されていて、前記第３ローラー（２５０）との間にテープ（１）を移動させる第４ローラー（２６０）と、
を備え、
前記ベースフレーム（２１０）は、
前記第１ローラー（２３０）及び第２ローラー（２４０）が連結されており、前方上端から下向き垂直に形成されている垂直部（２１２）が形成されており、前記垂直部（２１２）の下端に前方に向かって水平方向に突設されている水平載置部（２１３）が形成されている後方フレーム（２１１）と、
前記第３ローラー（２５０）及び第４ローラー（２６０）が連結されており、後端面に前記垂直部（２１２）に密着される垂直密着部（２１５）が形成されており、前記垂直密着部（２１５）の下部に後方に向かって水平方向に突出されて前記水平載置部（２１３）に載置される載置部（２１６）が形成されている前方フレーム（２１４）と、
を備え、
前記前方フレーム（２１４）と前記後方フレーム（２１１）とが互いに着脱自在に連結されていることを特徴とする回転ケース付きテープ切断機。
【請求項２】
前記前方フレーム（２１４）の上部には、突起嵌合溝（２１７）が形成されており、
後方の一方の側が前記後方フレーム（２１１）に回転自在に取着されており、前方の一方の側には、下向きに回転した状態で前記突起嵌合溝（２１７）に嵌合する嵌合突起（２８１）が形成されているガイド蓋体（２８０）がさらに配設されていることを特徴とする請求項１に記載の回転ケース付きテープ切断機。
【請求項３】
前記後方フレーム（２１１）は、
前記第１ローラー（２３０）及び第２ローラー（２４０）が連結されている第１後方フレーム（２１１ｂ）と、
前記ガイド装置（２２０）が連結されている第２後方フレーム（２１１ｃ）と、
を備え、
前記第１後方フレーム（２１１ｂ）と前記第２後方フレーム（２１１ｃ）とは互いに取り外し自在に連結されていることを特徴とする請求項１に記載の回転ケース付きテープ切断機。
【請求項４】
前記第１後方フレーム（２１１ｂ）の後側には摺動係合溝（２１１ｄ）が形成されており、
前記第１ローラー（２３０）には、前記摺動係合溝（２１１ｄ）に摺動方式により係着される摺動フレーム（２１１ｅ）が連結されていて、第１ローラー（２３０）を前記第１後方フレーム（２１１ｂ）から摺動方式により取り外し自在になっていることを特徴とする請求項３に記載の回転ケース付きテープ切断機。
【請求項５】
前記搬送装置（２００）は、
前記下部ケース（１１０）の内部の両側に配設されているベースフレーム（２１０）と、
両側が前記ベースフレーム（２１０）に連結された状態で、テープ取付溝（１０１）に据置されたテープ（１）の先端を前方側に案内するガイド装置（２２０）と、
前記ガイド装置（２２０）と前記切断装置（１０３）との間に介装された状態でベースフレーム（２１０）に連結されて、ガイド装置（２２０）から流入したテープ（１）の端部を前方側の前記切断装置（１０３）に搬送する多数のローラーと、
を備え、
前記ベースフレーム（２１０）は、前記ガイド装置（２２０）が連結されているフレームと、前記多数のローラーが連結されているフレームと、を備え、
前記多数のローラーが連結されている前記フレームは、前記ガイド装置（２２０）が連結されている前記フレームに対して取り外し自在に連結されていることを特徴とする請求項１に記載の回転ケース付きテープ切断機。
【発明の詳細な説明】
【技術分野】
【０００１】
本発明は、回転ケース付きテープ切断機に係り、さらに詳しくは、長時間に亘ってテープを切断しながら、摩耗率の高い部品を容易に取り替えることのできる回転ケース付きテープ切断機に関する。
【背景技術】
【０００２】
各種の商品の包装作業のように、切断された所定の長さの接着テープが持続的に求められる場合に、さらに手軽に接着テープを供給するために接着テープ自動切断供給機が用いられているが、従来の「テープ自動切断機のテープ繰出ガイド装置」（例えば、下記の特許文献１参照）には、後方にテープ取付溝が設けられ、前方の上部には制御部が設けられる一方、前方の前面に繰出孔を有する切断部が設けられ、前記テープ取付溝に配設されるロールに巻き付けられたテープを前記切断部を用いて所望の長さに切断して前記繰出孔に繰り出すことが開示されている。
【０００３】
前記特許文献１に記載の装置は、テープ繰出装置が下部ケースの内部に搭載された状態でその下部ケースを上部ケースが覆うように構成されている。
【０００４】
このとき、テープ繰出装置は、全体がひとまとめになった状態で下部ケースの内部に搭載されており、上部ケースと下部ケースとはボルトなどにより組み合わせられているため、摩耗による部品の取替えや故障による部品の取替えに際して、固着されたボルトを解放せねばならず、テープ繰出装置を構成する多数のローラーなどを、ボルトを解放して取り外さなければならないため使い勝手が悪かった。
【０００５】
このような問題を改善するために、エラー感知装置を設け、前面の切断装置を摺動方式を用いてケースから取り外す「ロールテープ自動切断機」（例えば、下記の特許文献２参照）が公開されている。
【先行技術文献】
【特許文献】
【０００６】
【特許文献１】大韓民国登録実用新案第２０−０２５００４１号
【特許文献２】大韓民国登録特許第１０−０７５５９１９号
【発明の概要】
【発明が解決しようとする課題】
【０００７】
特許文献２の技術を用いることで、前面の切断装置を摺動方式を用いて取り外すことができるとはいえ、前面側のローラーが故障したときやローラーが摩耗したときには、取り替えのために、特許文献１と同様に、上部ケースと下部ケースとを取り外さなければならず、よって、部品の取り替えが容易ではないという問題があった。
【０００８】
また、前記特許文献１及び２に記載の技術は、上部ケースと下部ケースとを取り外した後にも、種々のローラー部品を取り替えることが決して容易ではないという問題があった。
【０００９】
特に、テープ切断機において、ガイド装置の前方に隣接する上部ローラー（第１ローラーの上側に位置する第２ローラー）及び切断装置の後方に隣接する両ローラー（第３ローラー及び第４ローラー）が主として早く摩耗されるが、これら第２乃至第４ローラーの取り替えが容易ではないという問題があった。
【００１０】
本発明は、上述した従来の技術における問題を解消するためのものであり、本発明の目的は、ケースが、上部に開口部が形成されている下部ケースと、下部ケースに蝶着されて上下に回動して開口部を開閉する回転ケースと、を備えることにより、テープ切断機の上部を容易に開放して上部側に配設された上部ローラーの間に挟まれた異物を除去したり、取替周期が特に短い上部ローラー（第２ローラー）を容易に取り替えたりすることのできる回転ケース付きテープ切断機を提供することにある。
【００１１】
また、本発明の他の目的は、多数のローラーが組み付けられるベースフレームを後方フレームと前方フレームとに分けて構成し、前方フレームには第３ローラー及び第４ローラーを連結し、前方フレームを後方フレームに対して着脱自在に設けることにより取替周期の短い第３ローラー及び第４ローラーを容易に取り替えることのできる回転ケース付きテープ切断機を提供することにある。
【００１２】
さらに、本発明のさらに他の目的は、後方フレームに回転自在にガイド蓋体を取り付けるが、ガイド蓋体の前方側を前方フレームに着脱することによりガイド蓋体に前方蓋体の上部を固定する役割を果たさせてガイド蓋体を固設しやすくすると共に、前方フレームもまたガイド蓋体を用いて固定して第３ローラー及び第４ローラーの取付に際してこれらが固定された状態を維持することのできる回転ケース付きテープ切断機を提供することにある。
【００１３】
さらに、本発明のさらに他の目的は、後方フレームを第１後方フレームと第２後方フレームとが互いに取り外し自在に構成し、第１後方フレームには摺動係合溝を形成し、第１ローラーは摺動係合溝に係着される摺動フレームを連結することにより、第１ローラーを容易に取り替えることのできる回転ケース付きテープ切断機を提供することにある。
【課題を解決するための手段】
【００１４】
上述した目的を達成するために、本発明に係る回転ケース付きテープ切断機は、後方に、ロール状に巻き付けられたテープ（１）が載置されるテープ取付溝（１０１）が形成されており、前方に繰出孔（１０２）付き切断装置（１０３）が配設されているケース（１００）と、前記ケース（１００）の内部に配設されてテープ取付溝（１０１）に載置されたテープ（１）の一方の端部を、前方側の前記切断装置（１０３）に搬送する搬送装置（２００）と、を備え、前記ケース（１００）は、内側に前記搬送装置（２００）の下部を収容し、上部に開口部（１１１）が形成されている下部ケース（１１０）と、後端部が前記下部ケース（１１０）の上部に蝶着されて後端部を基準として上下に回動して前記開口部（１１１）を開閉する回転ケース（１２０）と、を備え、前記搬送装置（２００）は、前記下部ケース（１１０）の内部の両側に配設されているベースフレーム（２１０）と、両側が前記ベースフレーム（２１０）に連結された状態で、テープ取付溝（１０１）に据置されたテープ（１）の先端を前方側に案内するガイド装置（２２０）と、両側が前記ベースフレーム（２１０）に連結されており、前記ガイド装置（２２０）を通過したテープ（１）の底面を支持するように配設されている第１ローラー（２３０）と、両側が前記ベースフレーム（２１０）に連結されており、前記第１ローラー（２３０）と噛合するように配設されていて、前記ガイド装置（２２０）を通過したテープ（１）の上面を支持してテープ（１）が前記第１ローラー（２３０）との間を移動するようになっている第２ローラー（２４０）と、両側が前記ベースフレーム（２１０）に連結されており、前記第１ローラー（２３０）と第２ローラー（２４０）との間を通過したテープ（１）の底面を支持するように配設されている第３ローラー（２５０）と、両側が前記ベースフレーム（２１０）に連結されており、前記第３ローラー（２５０）と噛合するように配設されていて、前記第３ローラー（２５０）との間にテープ（１）を移動させる第４ローラー（２６０）と、を備え、前記ベースフレーム（２１０）は、前記第１ローラー（２３０）及び第２ローラー（２４０）が連結されており、前方上端から下向き垂直に形成されている垂直部（２１２）が形成されており、前記垂直部（２１２）の下端に前方に向かって水平方向に突設されている水平載置部（２１３）が形成されている後方フレーム（２１１）と、前記第３ローラー（２５０）及び第４ローラー（２６０）が連結されており、後端面に前記垂直部（２１２）に密着される垂直密着部（２１５）が形成されており、前記垂直密着部（２１５）の下部に後方に向かって水平方向に突出されて前記水平載置部（２１３）に載置される載置部（２１６）が形成されている前方フレーム（２１４）と、を備え、前記前方フレーム（２１４）と前記後方フレーム（２１１）とが互いに着脱自在に連結されている、ことを特徴とする。
【００１５】
また、好ましくは、前記前方フレーム（２１４）の上部には、突起嵌合溝（２１７）が形成されており、後方の一方の側が前記後方フレーム（２１１）に回転自在に取着されており、前方の一方の側には、下向きに回転した状態で前記突起嵌合溝（２１７）に嵌合する嵌合突起（２８１）が形成されているガイド蓋体（２８０）がさらに配設されている。
【００１６】
さらに、好ましくは、前記後方フレーム（２１１）は、前記第１ローラー（２３０）及び第２ローラー（２４０）が連結されている第１後方フレーム（２１１ｂ）と、前記ガイド装置（２２０）が連結されている第２後方フレーム（２１１ｃ）と、を備え、前記第１後方フレーム（２１１ｂ）と前記第２後方フレーム（２１１ｃ）とは互いに取り外し自在に連結されている。
【００１７】
さらに、好ましくは、前記第１後方フレーム（２１１ｂ）の後側には摺動係合溝（２１１ｄ）が形成されており、前記第１ローラー（２３０）には、前記摺動係合溝（２１１ｄ）に摺動方式により係着される摺動フレーム（２１１ｅ）が連結されていて、第１ローラー（２３０）を前記第１後方フレーム（２１１ｂ）から摺動方式により取り外し自在になっている。
【００１８】
さらに、好ましくは、前記搬送装置（２００）は、前記下部ケース（１１０）の内部の両側に配設されているベースフレーム（２１０）と、両側が前記ベースフレーム（２１０）に連結された状態で、テープ取付溝（１０１）に据置されたテープ（１）の先端を前方側に案内するガイド装置（２２０）と、前記ガイド装置（２２０）と前記切断装置（１０３）との間に介装された状態でベースフレーム（２１０）に連結されて、ガイド装置（２２０）から流入したテープ（１）の端部を前方側の前記切断装置（１０３）に搬送する多数のローラーと、を備え、前記ベースフレーム（２１０）は、前記ガイド装置（２２０）が連結されているフレームと、前記多数のローラーが連結されているフレームと、を備え、前記多数のローラーが連結されている前記フレームは、前記ガイド装置（２２０）が連結されている前記フレームに対して取り外し自在に連結されている。
【発明の効果】
【００１９】
本発明によれば、ケースが、上部に開口部が形成されている下部ケースと、下部ケースに蝶着されて上下に回動して開口部を開閉する回転ケースと、を備えることにより、テープ切断機の上部を容易に開放して上部側に配設された上部ローラー（第１ローラーの上側に位置する第２ローラー）の間に挟まれた異物を除去したり、取替周期が特に短い上部ローラーを容易に取り替えることができる。
【００２０】
また、多数のローラーが組み付けられるベースフレームを後方フレームと前方フレームとに分けて構成し、前方フレームには第３ローラー及び第４ローラーを連結し、前方フレームを後方フレームに対して着脱自在に設けることにより取替周期の短い第３ローラー及び第４ローラーを容易に取り替えることができる。
【００２１】
このとき、後方フレームに回転自在にガイド蓋体を取り付けるが、ガイド蓋体の前方側を前方フレームに着脱することにより、ガイド蓋体に前方フレームの上部に固定する役割を果たさせてガイド蓋体を固設しやすくすると共に、前方フレームもまたガイド蓋体を用いて固定して第３ローラー及び第４ローラーの取付に際してこれらが固定された状態を維持することができる。
【００２２】
さらに、後方フレームを、第１後方フレームと第２後方フレームとが互いに取り外し自在になるように構成し、第１後方フレームには摺動係合溝を形成し、第１ローラーには、摺動係合溝に係着される摺動フレームを連結することにより、第１ローラーの取り替えも容易になる。
【図面の簡単な説明】
【００２３】
【図１】本発明の回転ケース付きテープ切断機の一実施形態を示す斜視図である。
【図２】本発明における回転ケースを回転させた状態を示す分解斜視図である。
【図３】本発明における回転ケースと下部ケースとの連結状態を示す分解斜視図である。
【図４】本発明における搬送装置の一実施形態を示す側面概略図である。
【図５】本発明におけるガイド蓋体が上向きに回転した状態を示す、前方フレームが着脱自在になっている例の分解斜視図である。
【図６】本発明におけるガイド蓋体が下向きに回転した状態を示す、前方フレームが着脱自在になっている例の分解斜視図である。
【図７】本発明における第１ローラー及び第２ローラーが取り付けられた前方フレームの取り外し方法を示す斜視図である。
【図８】本発明における第２ローラーの一実施形態を示す分解斜視図である。
【図９】前方フレームの垂直密着部と載置部に溝と突起が形成された例を示す写真である。
【図１０】本発明に係る回転ケース付きテープ切断機の一実施形態を示す写真である。
【図１１】本発明におけるケースから切断装置を取り外した状態を示す写真である。
【図１２】図１１の状態から回転ケースを回動させて下部ケースの開口部を開放した状態を示す写真である。
【図１３】図１２の状態からガイド蓋体を回動させて開放した状態を示す写真である。
【図１４】図１３の状態から第３ローラー、第４ローラー及び前方フレームを取り外した状態を示す写真である。
【図１５】図１４の状態から第２ローラーを取り外した状態を示す写真である。
【発明を実施するための形態】
【００２４】
以下、添付図面に基づき、本発明の回転ケース付きテープ切断機について詳細に説明する。
【００２５】
まず、本発明の回転ケース付きテープ切断機の基本的な構成について説明する。
【００２６】
本発明の回転ケース付きテープ切断機は、大きくは、ケース１００と、搬送装置２００と、を備える。
【００２７】
ケース１００は、後方に、ロール状に巻き付けられたテープ１が載置されるテープ取付溝１０１が形成されかつ前方に繰出孔１０２付き切断装置１０３が配設されたものである。
【００２８】
搬送装置２００は、前記ケース１００の内部に配設されてテープ取付溝１０１に載置されたテープ１の一方の端部を前方側の切断装置１０３に搬送するように構成されている。
【００２９】
切断装置１０３に搬送されたテープ１は、切断装置１０３により切断された後に繰出孔１０２を介して外部に繰り出される。
【００３０】
切断装置１０３は、公知の様々な切断装置と同様に、繰出孔１０２に切断刃が配設されて該切断刃が上下に移動して、繰出孔１０２に繰り出されるテープ１を切断するように構成されている。
【００３１】
このような構成を有する本発明のケース１００は、下部ケース１１０と、回転ケース１２０と、を備える。
【００３２】
下部ケース１１０は、図示のごとく、内側に前記搬送装置２００の下部を収容し、上部に開口部１１１（図３参照）が形成されている。
【００３３】
このような下部ケース１１０は、それ自体で一体形になるように形成されてもよいが、従来公知のケースのように、搬送装置２００が載置される底面ケースと、この底面ケースの上部に載置され、側壁及び蓋体を有する上部ケースと、を備えて、底面ケースと上部ケースとがボルトにより組み合わせられてもよく、その上部ケースの上部に、図示のごとく、開口部１１１を形成してもよい。
【００３４】
一方、回転ケース１２０は、図示のごとく、後端部が前記下部ケース１１０の上部に蝶着されて後端部を基準として上下に回動して前記開口部１１１を開閉するようになっている。
【００３５】
このとき、回動する回転ケース１２０は、下向きに回転した状態では下部ケース１１０に固定されなければならないが、図２及び図３に示すごとく、下部ケース１１０における前方の上端に固定突起１１２が取り付けられ、これに対応する回転ケース１２０における前方の下端には突起嵌合溝１２１（図２参照）を形成して突起嵌合溝１２１に固定突起１１２を嵌着してもよい。
【００３６】
固定突起１１２は、図示のごとく、上部が折れ曲がった形状に形成し、突起嵌合溝１２１は、その内側に折れ曲がった部分が強制的に嵌め込まれるように対応する形状に形成されてもよい。
【００３７】
また、回転ケース１２０の後端部とこれに対応する下部ケース１１０の上部の両側には、図３に示すように、回転ピン１２２と回転ピン嵌合溝１１３とがそれぞれ形成されて、回転ピン１２２が回転ピン嵌合溝１１３に嵌め込まれた状態で回転ケース１２０が回動するように構成されてもよい。
【００３８】
回転ケース１２０の後端部は、図示のごとく、前記テープ取付溝１０１の両側壁面に達するようにし、前端部は前記切断装置１０３の上端と当接し、後方側は、開放された空間を有して後述するガイド装置２２０の上部が外部に露出されるようにし、前方側の底部（下面部）は、後述する第２ローラー２４０、第４ローラー２６０及びガイド蓋体２８０を覆う形状に形成されることがより好ましい。
【００３９】
第２ローラー２４０、第３ローラー２５０及び第４ローラー２６０（特に第２ローラー２４０及び第４ローラー２６０）は、上述したように、比較的に早く摩耗されて取り替え周期の短い部品である。
【００４０】
このため、本発明では、前記回転ケース１２０を簡単に回転・開放させた状態で第２ローラー２４０、第３ローラー２５０及び第４ローラー２６０を手軽に補修したり取り替えたりすることができるようにしている。
【００４１】
以下、本発明の構成要素である搬送装置２００の具体的な構造について説明する。
【００４２】
本発明における搬送装置２００は、大きくは、ベースフレーム２１０（図７参照）、ガイド装置２２０（図４参照）、第１ローラー２３０、第２ローラー２４０、第３ローラー２５０及び第４ローラー２６０を備える。
【００４３】
ベースフレーム２１０は、前記下部ケース１１０内部の両側に配設されている。
【００４４】
ガイド装置２２０は、両側が前記ベースフレーム２１０に連結された状態で、テープ取付溝１０１に据置されたテープ１の先端を前方側に案内する。
【００４５】
ガイド装置２２０は、図１及び図４に示すごとく、表面に回転方向に沿って多数の凹凸が並設された二つの回転ドラム２２２と、これらの回転ドラム２２２が連設されるガイドケース２２１と、を備える。このようなガイド装置２２０は、大韓民国登録実用新案第２０−０２１９８２３号などに開示されている構成を採用することができる。
【００４６】
第１ローラー２３０は、両側が前記ベースフレーム２１０に連結されていて、前記ガイド装置２２０を通過したテープ１の底面（下面）を支持するように配設されている。
【００４７】
また、第２ローラー２４０は、両側が前記ベースフレーム２１０に連結されかつ前記第１ローラー２３０と噛合するように配設されていて、前記ガイド装置２２０を通過したテープ１の上面を支持してテープ１が前記第１ローラー２３０との間を移動するようになされている。第２ローラー２４０は、ガイド装置２２０の前方に隣接する上部ローラーに相当する。
【００４８】
さらに、第３ローラー２５０は、両側が前記ベースフレーム２１０に連結されていて、前記第１ローラー２３０と第２ローラー２４０との間を通過したテープ１の底面（下面）を支持するように配設されている。
【００４９】
第４ローラー２６０は、両側が前記ベースフレーム２１０に連結されかつ前記第３ローラー２５０と噛合するように配設されていて、前記第３ローラー２５０との間にテープ１を移動させるように構成されている。
【００５０】
これらの多数のローラーは、互いに連動して回転可能にするために、それぞれ一方の端部または両側の端部に、図示のごとく、円筒状のギアが取り付けられて噛合して駆動されるように構成されることは自明である。
【００５１】
このようにガイド装置２２０に隣接した状態で、第１ローラー２３０及び第２ローラー２４０が互いに連接しており、ガイド装置２２０を通過したテープ１が、第１ローラー２３０と第２ローラー２４０との間に移動し、次いで、互いに連接する第３ローラー２５０と第４ローラー２６０との間に移動する。
【００５２】
さらに、第１ローラー２３０と第３ローラー２５０との間には、図４〜図６に示すごとく、補助ローラー２７０を設けてもよい。
【００５３】
このとき、補助ローラー２７０は、単独または多数が噛合して駆動されるように構成されてもよい。
【００５４】
補助ローラー２７０は、第１ローラー２３０及び第３ローラー２５０に乗って移動するテープ１が、該ローラーに完全に巻き付けられることを防ぐ役割を果たす。
【００５５】
また、このために、それぞれのローラーには、図示のごとく、ローラー軸方向に多数の凹凸が交互に形成されているが、互いに接するローラーは凹凸を互い違いに配置してテープ１が完全に巻き付けられることを防ぐ。
【００５６】
ベースフレーム２１０は、下部ケース１１０の内部における両側に配設されていて、本発明においては、特に後方フレーム２１１及び前方フレーム２１４の二つにより構成されて、後方フレーム２１１と前方フレーム２１４とが互いに取り外し自在に構成される。
【００５７】
より具体的に、後方フレーム２１１には、前記第１ローラー２３０及び第２ローラー２４０が連結されている。
【００５８】
このとき、後方フレーム２１１は、それ自体で一体になるように構成されてもよいが、図６及び図８に示すように、第１ローラー２３０と、第２ローラー２４０が配設される第１後方フレーム２１１ｂと、後方側のガイド装置２２０が配設される第２後方フレーム２１１ｃとが互いに取り外し自在に構成されてもよい。
【００５９】
第１後方フレーム２１１ｂと第２後方フレーム２１１ｃとを互いに取り外し自在に構成することは、図８に示すように、第１後方フレーム２１１ｂの後端部を第２後方フレーム２１１ｃに向かって突出させ、この突出された部分を第２後方フレーム２１１ｃにおける前方の上部に載置させることにより達成される。
【００６０】
このように後方フレーム２１１を、第１後方フレーム２１１ｂと第２後方フレーム２１１ｃとに互いに取り外し自在に構成すると、第１ローラー２３０、第２ローラー２４０、第３ローラー２５０及び第４ローラー２６０をケース１００の内部から容易に取り出して取り替え及び補修することが可能になる。
【００６１】
すなわち、図示のごとく、全体のローラーを一括してケース１００から取り出して取り替え及び補修することが可能になる。
【００６２】
このような構成は、前記ベースフレーム２１０が、ガイド装置２２０が連結されているフレームと、多数のローラーが連結されているフレームと、を備え、前記多数のローラーが連結されている前記フレームを、ガイド装置２２０が連結されている前記フレームに対して取り外し自在に連結されているため実現可能になる。
【００６３】
特に、第１ローラー２３０を容易に繰り出すために、前記第１後方フレーム２１１ｂにおける後方の一方の側に摺動係合溝２１１ｄが形成されており、前記摺動係合溝２１１ｂに後方から前方に向かって摺動方式により嵌め込まれる（係着される）摺動フレーム２１１ｅが設けられるとともに、前記摺動フレーム２１１ｅに第１ローラー２３０の軸が連結されるように構成されてもよい。
【００６４】
すなわち、第１ローラー２３０は摺動フレーム２１１ｅに連結されており、第１後方フレーム２１１ｂには摺動係合溝２１１ｄが形成されて摺動フレーム２１１ｅが摺動係合溝２１１ｄに嵌め込まれることにより、第１ローラー２３０を引き出しやすくして第１ローラー２３０の取り替え及び補修を手軽に行うことができる。
【００６５】
このとき、摺動係合溝２１１ｄ及び摺動フレーム２１１ｅには、後述する溝２１８及び突起２１９（図５〜図７参照）のように、噛合する一対の溝及び突起を形成して正確な個所に摺動・載置することが好ましい。
【００６６】
さらに、後方フレーム２１１には、図５に示すごとく、前方上端から下向き垂直に形成されている垂直部２１２が形成されており、前記垂直部２１２の下端に、前方に向かって水平方向に突設されている水平載置部２１３が形成されていることを特徴とする。
【００６７】
前方フレーム２１４には、図示のごとく、前記第３ローラー２５０及び第４ローラー２６０が連結されており、前方フレーム２１４の後端面に、前記垂直部２１２に密着される垂直密着部２１５が形成されており、前記垂直密着部２１５の下部に、後方に向かって水平方向に突出されて前記水平載置部２１３に載置される載置部２１６が形成されている。
【００６８】
すなわち、前方フレーム２１４は、後方フレーム２１１に互いに着脱自在に連結されていて、後方フレーム２１１の前部に載置されるような構造を有する。
【００６９】
要するに、本発明においては、部品の取り替え周期が早い部品である第３ローラー２５０及び第４ローラー２６０を、後方フレーム２１１に対して着脱自在に連結される前方フレーム２１４に取り付けることにより、第３ローラー２５０及び第４ローラー２６０を取り替えやすくしている。
【００７０】
図７は、第３ローラー２５０を貫通する軸２５２と、この軸２５２に噛み付けられるギア２５１を示しているが、このような方式によりそれぞれのローラーを取り替え及び補修することが可能になる。
【００７１】
このとき、図５、図６及び図９に示すように、前記垂直部２１２及び前記垂直密着部２１５と、前記水平載置部２１３及び前記載置部２１６とには、それぞれ、噛合する一対の溝２１８及び突起２１９を形成して前方フレーム２１４を正確な個所に配設することが好ましい。
【００７２】
これは、前記ローラーが互いにギアのように連結されて動作するために正確な個所に配設するためである。
【００７３】
一方、本発明においては、第３ローラー２５０及び第４ローラー２６０だけではなく、部品の取り替え周期が早い第２ローラー２４０もまた手軽に取り付け及び取り外し自在に構成されている。
【００７４】
このために、図示のごとく、前記第１ローラー２３０の一方の先端には円筒状のギア２３１が連結されており、前記ベースフレーム２１０の上部の両側にはガイドレール２１１ａ（図８参照）が形成されている。
【００７５】
また、前記第２ローラー２４０は、図８に示すように、摺動部材２４１、ばね２４２、ローラー軸２４３、ローラー部材２４４及び駆動ギア２４５を備える。
【００７６】
摺動部材２４１は、図８に示すように、前記ガイドレール２１１ａに摺動方式により着脱され、中央に軸嵌入孔２４１ａが形成されている。
【００７７】
ばね２４２は、上部に前記回転ケース１２０の底部（下面部）と接触してばね２４２を下向きに押圧する支持部材２４２ａが連結されており、下部は前記摺動部材２４１の上部に着脱自在に連結されている。
【００７８】
ばね２４２は、回転ケース１２０の底部（及び支持部材２４２ａ）の押圧により摺動部材２４１を下向きに付勢し、これにより、第２ローラー２４０のローラー部材２４４が第１ローラー２３０と共にテープ１を円滑に搬送可能になる。
【００７９】
さらに、ローラー軸２４３は、両側の摺動部材２４１に設けられている軸嵌入孔２４１ａに両側がそれぞれ貫通して配設されており、ローラー部材２４４は前記ローラー軸２４３が内部を貫通して配設されている。
【００８０】
加えて、駆動ギア２４５は、前記ローラー軸２４３の一方の先端に着脱自在に連結されており、前記円筒状のギア２３１と連結されるように構成されている。
【００８１】
このような構成は、駆動ギア２４５をローラー軸２４３から取り外した後、駆動ギア２４５と隣り合う側のばね２４２を上方向に持ち上げ、その後、ローラー軸２４３を斜めに捻った後、反対側のばね２４２及び摺動部材２４１をローラー軸２４３から取り外し、次いで、隣り合う側の摺動部材２４１を取り外した状態でローラー軸２４３をローラー部材２４４から取り外すことにより達成され、組み立てはその逆順に行えばよい。
【００８２】
このとき、摺動部材２４１の上端には、図示のごとく、ばね２４２が係着される係合突起２４１ｂが形成されてばね２４２と摺動部材２４１とが着脱自在になる。
【００８３】
また、本発明においては、図５及び図６に示すように、後方の一方の側（本実施形態では、後方の両側）が前記後方フレーム２１１に回転自在に取り付けられているガイド蓋体２８０がさらに配設される。
【００８４】
ガイド蓋体２８０は、図示のごとく、前方側の先端の内側に多数の凹凸が形成されているが、これらの凹凸は、第４ローラー２６０の凹凸と互い違いに配置されていて第３ローラー２５０と第４ローラー２６０との間を通過したテープ１が第４ローラー２６０側に巻き込まれることを防ぐ。
【００８５】
特に、本発明においては、前記前方フレーム２１４の上部には突起嵌合溝２１７が形成されており、ガイド蓋体２８０は、図示のごとく、該ガイド蓋体２８０における前方の一方の側に、下向きに回転した状態で前記突起嵌合溝２１７と嵌合する嵌合突起２８１が形成されていることを特徴とするものである。
【００８６】
これは、別途のロック手段なしに、前方フレーム２１４と後方フレーム２１１とが連結されている状態でガイド蓋体２８０に形成された嵌合突起２８１が前方フレーム２１４の上部の突起嵌合溝２１７に嵌め込まれてその状態で回転ケース１２０が閉じられて前方フレーム２１４と後方フレーム２１１との間の固定を維持することができて、前方フレーム２１４に連結されている第３ローラー２５０と第４ローラー２６０とが円滑なギアの噛合によって作動する。
【００８７】
一方、前記ガイド蓋体２８０とは反対側、すなわち、第３ローラー２５０の下部側にテープ１が巻き込まれることを防ぐために、図７に示すように、下部ガイド蓋体２９０を前方フレーム２１４に取り付けてもよい。
【００８８】
図２に示すごとく、切断装置１０３の下部には下部突起１０３ａが形成されており、前面開口部１３０の下部側には、前記下部突起１０３ａが嵌め込まれるスロット１３１が形成されて、スロット１３１に下部突起１０３ａを嵌め込むように構成される。
【００８９】
さらに、下部ケース１１０の前面開口部１３０両側の上端には嵌合溝１３２が形成されており、切断装置１０３の両側の壁面には嵌合突起１０３ｂが形成されているため、嵌合溝１３２に嵌合突起１０３ｂが嵌め込まれて切断装置１０３を固定することができる。
【００９０】
加えて、回転ケース１２０における前方側の壁面にはケース上部固定溝１２３が形成されており、これに対応する切断装置１０３における両側の壁面の上端にはケース上部固定突起１０３ｃが形成されているため、回転ケース１２０と切断装置１０３が互いに固定可能になる。
【００９１】
図１０〜図１５は、本発明に係る回転ケース付きテープ切断機の一実施形態を示す写真である。
【００９２】
図１１は、図１０の状態から下部ケース１１０の前面において切断装置１０３を取り外した状態を示す。
【００９３】
図１２は、図１１の状態から前記回転ケース１２０を上方向に回転させた状態を示す。
【００９４】
図１３は、図１２の状態からガイド蓋体２８０を上方向に回転させた状態を示す。
【００９５】
図１２から図１３の状態に切り替わることにより、前方フレーム２１４の固定状態が解放される。
【００９６】
図１４は、図１３の状態から前方フレーム２１４、第３ローラー２５０及び第４ローラー２６０を取り外した状態を示す。
【００９７】
このとき、第３ローラー２５０及び第４ローラー２６０は両方とも、両側に連結されたギア及びローラー軸が取り外し可能であるということはいうまでもない。
【００９８】
図１５は、図１４の状態から第２ローラー２４０を取り外した状態を示す。尚、ガイド蓋体２８０は下方向に回転している。
【００９９】
第２ローラー２４０は、単に回転ケース１２０によって固定されているだけであるので、第２ローラー２４０の取り外しは、回転ケース１２０のみを回動させて開放した状態で直ちに行うことができる。
【０１００】
以上述べたように、本発明のテープ切断機では、切断装置１０３を取り外した後に回転ケース１２０を回して下部ケース１１０の開口部１１１を開放してケース１００内部の部品を補修して取り替えることができる。
【０１０１】
さらに、この状態で直ちに第２ローラー２４０を取り外し、補修して取り替えることができる。
【０１０２】
加えて、ガイド蓋体２８０が配設された場合にはガイド蓋体２８０を回動した後に、また、ガイド蓋体２８０が配設されていない場合には回転ケース１２０を回して開放した後に、直ちに第３ローラー２５０及び第４ローラー２６０を取り外し、補修して取り替えることができる。
【０１０３】
すなわち、本発明のテープ切断機では、従来のテープ切断機に比べて、取り替えや補修の対象となる部品を非常に手軽に取り替え及び補修することができる。
【符号の説明】
【０１０４】
１        テープ
１００    ケース
１０１    テープ取付溝
１０２    繰出孔
１０３    切断装置
１０３ａ  下部突起
１０３ｂ  嵌合突起
１０３ｃ  ケース上部固定突起
１１０    下部ケース
１１１    開口部
１１２    固定突起
１１３    回転ピン嵌合溝
１２０    回転ケース
１２１    突起嵌合溝
１２２    回転ピン
１２３    ケース上部固定溝
１３０    前面開口部
１３１    スロット
１３２    嵌合溝
２００    搬送装置
２１０    ベースフレーム
２１１    後方フレーム
２１１ａ  ガイドレール
２１１ｂ  第１後方フレーム
２１１ｃ  第２後方フレーム
２１１ｄ  摺動係合溝
２１２    垂直部
２１３    水平載置部
２１４    前方フレーム
２１５    垂直密着部
２１６    載置部
２１７    突起嵌合溝
２１８    溝
２１９    突起
２２０    ガイド装置
２２１    ガイドケース
２２２    回転ドラム
２３０    第１ローラー
２３１    円形ギア
２４０    第２ローラー
２４１    摺動部材
２４１ａ  軸嵌入孔
２４１ｂ  係合突起
２４２    ばね
２４２ａ  支持部材
２４３    ローラー軸
２４４    ローラー部材
２５０    第３ローラー
２５１    ギア
２５２    軸
２６０    第４ローラー
２７０    補助ローラー
２８０    ガイド蓋体
２８１    嵌合突起
２９０    下部ガイド蓋体
【図１】
0005879418.tif 000002
【図２】
0005879418.tif 000003
【図３】
0005879418.tif 000004
【図４】
0005879418.tif 000005
【図５】
0005879418.tif 000006
【図６】
0005879418.tif 000007
【図７】
0005879418.tif 000008
【図８】
0005879418.tif 000009
【図９】
0005879418.tif 000010
【図１０】
0005879418.tif 000011
【図１１】
0005879418.tif 000012
【図１２】
0005879418.tif 000013
【図１３】
0005879418.tif 000014
【図１４】
0005879418.tif 000015
【図１５】
0005879418.tif 000016